(57)【要約】アクリル酸、ポリエステルおよびポリプロピレン糸より構成される群から選択される合成紡糸から構築されるゴム編みで編まれた織物より作製される医療用包帯製品。弾性糸は、編物に弾性を供し、そして有効量の防水処理が、防水特徴を付与するための織物に使用される。編物は、ギブス包帯ライナーとして、または添え木製品の保護包装材として使用されうる。
2007521047.tif 000002
【特許請求の範囲】
【請求項１】
アクリル酸、ポリエステルおよびポリプロピレン糸より構成される群から選択される合成紡糸から構築されるゴム編みで編まれた織物、およびその編物に防水特徴を付与するためにその編物に使用される有効量の防水処理を包含する、医療用包帯製品。
【請求項２】
ゴム編みで編まれた織物は、円形に編まれて、管状物の輪郭を明確にし、そしてゴム編みは、その管の長さに沿って縦軸に伸びる請求項１に記載の医療用包帯製品。
【請求項３】
前記ゴム編みで編まれた織物が、円形に編まれて、管状物の輪郭を明確にし、そしてゴム編みは、その管の縁の周囲に放射状に伸びる請求項１に記載の医療用包帯製品。
【請求項４】
さらに、織物に組込まれて、繊維に弾性を供する弾性糸を含む請求項１に記載の医療用包帯製品。
【請求項５】
前記医療用包帯製品が、処置されるべき肢の上で、そしてギブス包帯ライナー材料の下に配置されるためのギブス包帯ライナーを包含する請求項１、２または３に記載の医療用包帯製品。
【請求項６】
（ａ）水分不浸透性材料から形成され、そして水分の進入を防止するのに密閉可能な延長スリーブ；
（ｂ）該スリーブ中に配置され、そして使用まで水分の浸入に対してそこに密閉される延長スリーブ材料を包含し、該材料が、
（ｉ）基材；
（ｉｉ）該基材に染込ませるか、またはその上に被覆される反応性システムであって、該システムは、実質的に水分不含の条件で維持されるときに安定なままであり、そして十分な水分にさらされることにより硬化して、堅固で、自己支持する構造を形成するものであり；および
（ｉｉｉ）材料が使用されているときに、基材と患者の皮膚との間にクッション防御壁を供するために、それの長さに沿って上記基材を包含する軟質の柔軟性保護包装材であって、該軟質で柔軟性のある保護包装材は、アクリル酸、ポリエステルおよびポリプロピレン糸より構成される群から選択される合成紡糸から構築されるゴム編みで編まれた織物を包含するものを包含し；そして
（ｃ）予め決定された長さの該包帯製品が、該スリーブ中に残る該基材の硬化を防ぐための用途として分配された後、水分の進入に対して該スリーブを再密閉する手段を包含する所定の医療用途に適した予め決定された長さで分配されるためのロール形態での添え木製品。
【請求項７】
保護包装材の前記ゴム編みで編まれた織物が、円形に編まれて、管の輪郭を明確にし、そしてゴム編みは、管の長さに沿って縦軸に伸びる請求項６に記載の添え木製品。
【請求項８】
保護包装材の前記ゴム編みで編まれた織物が、円形に編まれて、管の輪郭を明確にし、そしてゴム編みは、管の縁の周囲に放射状に伸びる請求項６に記載の添え木製品。
【請求項９】
さらに、その編物に弾性を供するために編物に組込まれる弾性糸を含む請求項８に記載の添え木製品。
【請求項１０】
アクリル酸、ポリエステルおよびポリプロピレン糸より構成される群から選択される合成紡糸から構築されるゴム編みで編まれた織物を包含し、該編物は、編物の主表面が、編物の基材の上に外向きに伸びる紡糸ループによって、正則の輪奈、および軟質の変形可能なタフトの輪奈の列を包含する編込み構造物を有し、その製品は、その織物に防水特徴を付与するために織物に使用される有効量の防水処理を含むものである、医療保護製品。
【請求項１１】
さらに、織物に組込まれて、繊維に弾性を供する弾性糸を含む請求項１０に記載の医療用包帯製品。
【請求項１２】
さらに、処置されるべき肢の上で、そしてギブス包帯材料の下に配置されるためのギブス包帯ライナーを包含する請求項１０または１１に記載の医療用包帯製品。
【請求項１３】
（ａ）水分不浸透性材料より形成され、そして水分の進入を防止するために密閉可能な延長スリーブ；
（ｂ）該スリーブに配置され、そして使用まで水分の進入に対してそれに密閉される延長医療用材料であって、該医療材料が、
（ｉ）基材；
（ｉｉ）該基材に染込ませるか、またはその上に被覆される反応性システムであって、該システムは、実質的に水分不含の条件で維持されるときに安定なままであり、そして十分な水分にさらされることにより硬化して、堅固で、自己支持する構造を形成するものあり；および
（ｉｉｉ）材料が使用されているときに、それの長さに沿って上記基材を包含して、基材と患者の皮膚との間にクッション防御壁を供する軟質の柔軟性保護包装材を包含する医療用包帯製品であって、該軟質で柔軟性のある保護包装材は、アクリル酸、ポリエステルおよびポリプロピレン糸より構成される群から選択される合成紡糸から構築されるゴム編みで編まれた織物を包含するものであり；そして
（ｃ）予め決定された長さの該包帯製品が、該スリーブ中に残る該基材の硬化を防止するための用途として分配された後、水分の進入に対して該スリーブを再密閉する手段
を包含する、所定の医療用途に適した予め決定された長さで分配されるためのロール形態での添え木製品。
【請求項１４】
保護包装材の前記ゴム編みで編まれた織物が、円形に編まれて、管の輪郭を明確にし、そしてゴム編みは、管の長さに沿って縦軸に伸びる請求項１３に記載の添え木製品。
【請求項１５】
保護包装材の前記ゴム編みで編まれた織物が、円形に編まれて、管の輪郭を明確にし、そしてゴム編みは、管の縁の周囲に放射状に伸びる請求項１３に記載の添え木製品。
【請求項１６】
アクリル酸、ポリエステルおよびポリプロピレン糸より構成される群から選択される合成紡糸から構築されるゴム編みで編まれた織物、その編物に防水特徴を付与するために編物に使用される有効量の防水処理を包含する、ギブス包帯ライナー。
【請求項１７】
前記保護包装材の前記ゴム編みで編まれた織物が、円形に編まれて、管の輪郭を明確にし、そしてゴム編みは、管の長さに沿って縦軸に伸びる請求項１６に記載の医療用包帯製品。
【請求項１８】
保護包装材の前記ゴム編みで編まれた織物が、円形に編まれて、管の輪郭を明確にし、そしてゴム編みは、管の縁の周囲に放射状に伸びる請求項１６に記載の医療用包帯製品。
【請求項１９】
さらに、織物に組込まれて、繊維に弾性を供する弾性糸を含む請求項１８に記載の医療用包帯製品。
【発明の詳細な説明】
【技術分野】
【０００１】
本発明は、いくつかの選択的実施態様による耐水性医療用包帯製品に関する。医療用包帯製品は、例えは、ギブス包帯ライナーとして、そして添え木製品のクッション層としての用途を有する。いずれの場合にも、医療用包帯製品は、予め切断されるか、または連続長形態で使用するために製造されうる。
【背景技術】
【０００２】
ギブス包帯ライナー用途では、ギブス包帯ライナーは、患者の皮膚を、肢が治療中に固定されるギブス・テープまたは他の堅固な材料の堅固なまたは半堅固な表面から保護する役割を果たす。包帯の耐水特性は、患者の発汗から、および入浴中のような、外側からの水分からの両方から水分滞留を実質的に減じる。次に、これは、臭いおよび痒みを食い止めるさらに快適で、長続きする包帯を提供する。包帯の編物構築物は、患者の組織に、特に鋭角が、圧力点を引起す包帯におけるしわを作り出す可能性がある肘、膝および脚のような連結領域で適合性を供する。
【発明の開示】
【発明が解決しようとする課題】
【０００３】
したがって、耐水性である包帯を提供することが、本発明の目的である。
【課題を解決するための手段】
【０００４】
軟質で、そして耐久性のある包帯を提供することが、本発明の別の目的である。
【０００５】
環状または平坦な編物工程によって形成される能力のある環状包帯を提供することが、本発明の別の目的である。
【０００６】
予め切断されるか、または連続長のいずれかで包装されうる包帯を提供することが、本発明の別の目的である。
【０００７】
使用されたシリコーンまたはポリウレタン基材のモノマーから形成される耐水性被覆材を有する包帯を提供することが、本発明の別の目的である。
【０００８】
包帯を、ギブスの下に使用するとき、包帯のしわを減少または除去するために、折畳領域を供する放射状編込構築を有する包帯を提供することが、本発明の別の目的である。
【０００９】
皮膚と、堅固または半堅固なギブス包帯材料との間の肢に配置されるためのギブス包帯ライナーとして製造される包帯を提供することが、本発明の別の目的である。
【００１０】
支持基材上に配置される添え木クッションとして組立てられる包帯を提供することが、本発明の別の目的である。
【００１１】
アクリル酸、ポリエステルおよびポリプロピレン糸より構成される群から選択される合成紡糸から構築されるゴム編みで編まれた編物を包含する医療用包帯製品、およびその編物に防水特徴を付与するためにその編物に使用される有効量の防水処理を提供することによって、下に開示される好ましい実施態様で、本発明のこれらおよび他の目的を達成する。
【００１２】
本発明の１つの好ましい実施態様によって、上記ゴム編みで編まれた編物は、円形に編まれて、管の輪郭を明確にし、そしてゴム編みは、管の長さに沿って縦軸に伸びる。
【００１３】
本発明の別の好ましい実施態様によって、上記ゴム編みで編まれた編物は、円形に編まれ、管の輪郭を明確にし、そしてゴム編みは、管の縁の周りを放射状に伸びる。
【００１４】
本発明のさらに別の好ましい実施態様によって、医療用包帯製品は、その編物に弾性を供するために編物に組み込まれた弾性糸を含む。
【００１５】
本発明のさらに別の好ましい実施態様によって、上記医療用包帯製品は、処理されるべき肢の上で、そしてギブス包帯材料の下に配置されるものであるギブス包帯ライナーを包含する。
【００１６】
本発明のさらに別の好ましい実施態様によって、所定の医療用途に適した予め決定された長さで分配される添え木製品が、ロール形態で供され、そして水分不浸透性材料から形成され、そして水分の進入を防ぐために密閉可能な延長スリーブを包含する。延長医療用材料は、上記スリーブに配置され、そして使用まで、水分の進入に対してそこで密閉される。医療用材料は、基材、上記基材に染込ませるかまたは上記基材上に被覆された反応性システム、および材料が使用中であるとき基材と患者の皮膚との間にクッション防御壁を供するためにそれの長さに沿って上記基材を含む軟質で柔軟性のある保護管状包装材を包含し、そして上記システムは、実質的に水分不含の条件で維持されるときに安定なままであり、そして十分な水分にさらされることにより硬化して、堅固で、自己支持する構造を形成し、上記軟質で柔軟性のある保護包装材は、アクリル酸、ポリエステルおよびポリプロピレン糸より構成される群から選択される合成紡糸から構築されるゴム編みで編まれた織物を包含する。予め決定された長さの上記包帯製品が、上記スリーブに残る上記基材の硬化を防ぐための用途として分配された後、水分の進入に対して上記スリーブを再密閉する手段を具備する。
【００１７】
本発明のさらに別の好ましい実施態様によって、保護包装材の上記ゴム編みで編まれた織物は、円形に編まれて、管の輪郭を明確にし、そしてゴム編みは、管の長さに沿って縦軸に伸びる。
【００１８】
本発明のさらに別の好ましい実施態様によって、保護包装材の上記ゴム編みで編まれた織物は、円形に編まれて、管の輪郭を明確にし、そしてゴム編みは、管の縁の周囲に放射状に伸びる。
【００１９】
本発明のさらに別の好ましい実施態様によって、保護包装材は、その編物に弾性を供するために編物に組込まれる弾性糸を含む。
【００２０】
本発明のさらに別の好ましい実施態様によって、保護包装材は、アクリル酸、ポリエステルおよびポリプロピレン糸より構成される群から選択される合成紡糸から構築されるゴム編みで編まれた織物を包含し、上記編物は、編物の主表面が、編物の基材の上に外向きに伸びる紡糸ループによって、軟質の変形可能なタフトの正則の輪奈、および輪奈の列を包含する編込み構造を有する。
【００２１】
本発明のさらに別の好ましい実施態様によって、水分不浸透性材料より形成され、そして水分の進入を防止するために密閉可能な延長スリーブ、および上記スリーブに配置され、そして使用まで水分の進入に対して防ぐ密閉可能な延長医療用材料を包含する、所定の医療用途に適した予め決定された長さに分配されるロール形態での添え木製品を提供する。医療用材料は、基材、その基材に染込ませるかまたはその上に被覆される反応性システムを包含し、上記システムは、実質的に水分不含の条件で維持されるときに安定なままであり、そして十分な水分にさらされて硬化して、堅固で自己支持構造を形成する。医療用包帯製品は、その材料が使用されている状態のときに、基材と患者の皮膚との間のクッション防御壁を供するためにそれの長さに沿って上記基材を包含する軟質で柔軟な保護包装材を包含する。保護包装材は、アクリル酸、ポリエステルおよびポリプロピレン糸より構成される群から選択される合成紡糸から構築されるゴム編みで編まれた構築物を包含する。予め決定された長さの上記包帯製品が、上記スリーブに残る上記基材の硬化を防止する用途のために分配された後、水分の進入に対して上記スリーブを再密閉する手段を提供する。
【００２２】
本発明のさらに別の好ましい実施態様によって、アクリル酸、ポリエステルおよびポリプロピレン糸より構成される群から選択される合成紡糸から構築されるゴム編みで編まれた織物、およびその編物に防水特徴を付与するために編物に使用される有効量の防水処理を包含するギブス包帯ライナーを提供する。
【発明を実施するための最良の形態】
【００２３】
本発明の目的物のいくつかは、上に説明された。本発明の他の目的および利益は、次の図面と関連して考慮されるときに、本発明の過程として現れる。
【００２４】
特に図面に関連して、本発明の１つの実施態様によるギブス包帯ライナーは、図１に示され、そして一般に参照番号１０で示される。ギブス包装ライナー１０は、使用を意図される場合、管状形態で示される。管状物は、従来の円形編機で糸またはスライバを編むこと、または平坦床機で編み、そしてその後、縁縫いまたは裁ち目かがりのようなシームを使用して平坦な編物を管状物に成形することによって形成されうる。編機は、二重編み許容性を有しうる。
【００２５】
ギブス包帯ライナー１０は、従来のまたは微細繊維のアクリル酸、ポリプロピレンまたはポリエステル糸のような紡績合成繊維紡糸から編まれる。ギブス包帯ライナー１０の耐水特性は、シリコーンまたはポリウレタン基材のモノマーで、編込み編物を被覆する工程から生じる。ギブス包帯ライナー１０は、フィラメントまたは紡績糸から成形され得て、そして紡績されたフィラメント加工糸は、好ましい構築物である。弾性糸は、ギブス包帯ライナー１０に対して延長および回復を供する。
【００２６】
一般に、ギブス包帯ライナー１０の外側表面１１は、４綿に対して１０ｓの間のＤテックス範囲を示す合成スライバまたは糸の使用から生じる軟質のフラシ天様外観および感触を示す。内側表面１２は、ギブス包帯ライナー１０の長さに沿って、縦軸に走るゴム編みを有する固有のゴム編み外観を示す。
【００２７】
好ましい構築物は、１／８インチと１／１６インチとの間離れて空間を空けた１つのゴム編み中の二重ジャージ２である。ギブス包帯ライナー１０は、１インチと６インチとの間の直径を有する管状物に成形でき、そして２０〜６０パーセントの間の直径膨張を示す。これは、罹患した領域での血液循環を減少させることなく、居心地のよい快適な密着感を許すある程度の伸びを示す多様な患者サイズでのギブス包帯ライナー１０の使用を可能にする。縦軸に沿った伸びは、好ましくは、２０と３０パーセントとの間である。多様な他のニットパターンも、ギブス包帯ライナー１０の基本的特徴が同じもののままである限り、可能性がある。
【００２８】
０．０１と０．０１８インチとの間の厚みを示すギブス包帯ライナー１０についての適切な重量は、１５０〜２５０グラムの間である。
【００２９】
耐水性被覆材の付加は、３０〜８０重量パーセントの間である。
【００３０】
代わりに、水、有機アルコールおよび、オーストリア国モーニングトンのＥｃｏ２０００  Ｐｔｙ  Ｌｔｄ．によって製造されるＥｃｏ２０００防水材のような複合脂肪酸ワックスより構成され防水性剤は、防水材のリットル当たり５〜１０平方メートルの間の編物の塗布比率である種の用途に適切でありうる。この材は、ギブス包帯ライナーの繊維を被覆するよりむしろ浸透する。
【００３１】
ここで、図２〜６に関して、ギブス包帯ライナー１０は、肢（手）に使用され、そして従来のギブス包帯テープ「Ｔ」で包まれることが示される。ギブス包帯ライナー１０は、皮膚に最も近いゴム編み内側表面１２で使用される。肢に使用するときに僅かに分かれるゴム編みは、空気の流れが増大され、そして皮膚からの水分の除去を供する。
【００３２】
図７に関して、連続長、例えば１０〜１５メートルのギブス包帯ライナー１０が、コイル状に成形され、そして分配箱１３に包装されることが示される。分配箱１３からギブス包帯ライナー１０の自由な末端を引き抜き、そして所望の長さを切取ることによって、所望の長さが得られる。
【００３３】
ギブス包帯ライナー１０の予め切断された長さ１４は、図８に示され、保護パッケージ１５に巻取り形態で包装される。長手の長さのギブス包帯ライナー１０を所望の長さに切断し、そしてその後、連続使用のために適した形態でそれらを包装することによって、ギブス包帯ライナーの予め切断された長さ１４を成形する。
【００３４】
図１０−１３に関して、ギブス包帯ライナー１０として使用されたのと同じ医療用包帯製品を、水分硬化性樹脂を、添え木として使用するための基材に組み込むタイプの医療用包帯製品のための詰め物層として使用しうる。
【００３５】
医療用包帯製品２０は、一般に、対峙する平行な拡張側面に沿って熱で密閉された積層樹脂／アルミニウム膜のような水分不浸透性材料から形成される外側伸張管状スリーブ２１より構成される。
【００３６】
下で詳細に説明される伸張添え木材料２２は、スリーブ２１内に配置され、そして分配まで、実質的に水分不含の条件で維持される。スリーブ２１の末端を、添え木材料２２の未使用部分の硬化を防止する、クランプのような密閉手段で密閉する。
【００３７】
いったん適切な長さの添え木材料２２を分配し、そしてロールから切取ると、それは、スリーブ２１から取り除かれ、そしてスリーブ２１の切断部分を捨てる。
【００３８】
添え木材料２２は、例えば、ガラス繊維、または種々の組合わせの合成繊維より構築される織りまたは編み込まれた比較的粗い織物の適切な数の重複層、例えば６つの層より構成される基材２３を包含する。基材２３は、ギブス包帯ライナー１０に関して上で同定されたとおりの構造を有する管状長の詰め物層２５内に含まれる。詰め物層２５は、患者の皮膚と基材２５との間にクッション性保護層を供する。基材２３は、実質的に水分不含の条件で維持されるときに安定なままであるが、しかし十分な水分にさらされることにより硬化して、堅固で自己支持性の構造を形成する反応性システムを染みこせるか、または被覆される。典型的な配合の反応システムは、以下の表で説明される。
【００３９】
典型的配合：
イソネート↓１４３Ｌまたは
モンドリ↓ＣＤまたは           ポリイソシアネート                       ５０．０  ％
ルビネート↓ＸＩ１６８
プルラコール↓Ｐ１０１０      ポリオー                   ４６．６  ％
ＤＣ−２００シリコーン        変形剤                       ０．３０％
ベンゾイルクロリド                安定化剤                 ０．１０％
サンキャット↓  ＤＭ−７０    触媒 ３．０  ％
１００％
【００４０】
使用する反応性システムのパラメーター、生成の方法、および変数の完全な検討は、上に引用される米国特許番号第４，４１１，２６２号で見られる。
【００４１】
基材２３の、そしてしたがって添え木材料２２の硬化は、水に浸漬するか、または噴霧することによって達成される。その後、過剰な水分を、タオルで添え木材料２２から搾り出す。
【００４２】
ここで図１２に関して、適切な長さの添え木材料２２を、固定されるべき体の構成要素の形状に成形する。ふくらはぎに、そして踵より上に、そして脚の上に、ある長さの添え木材料２２を成形することによって、尾部短脚添え木として知られるこの特定の型の添え木を、成形する。その後、図１３に示されるとおり、添え木材料２２を、従来の弾性包帯「Ｂ」で上から覆う。
【００４３】
本発明の別の実施態様によるギブス包帯ライナーは、図１４で示され、そして全般的に、参照番号４０で示される。ギブス包帯ライナー４０は、使用が意図される場合、管状形態で示される。管状物は、従来の円形編機でスライバを編むか、または平坦床機で編み、そしてその後、縁縫いまたは裁ち目かがりのようなシームを使用して、平坦な編物を管状に成形することによって形成されうる。編機は、二重編み許容性を示しうる。
【００４４】
ギブス包帯ライナー４０は、従来の微細繊維アクリル酸、ポリプロピレンまたはポリエステル糸のような紡績合成繊維紡糸から編まれる。ギブス包帯ライナー４０の耐水性特性は、シリコーンまたはポリウレタン基材モノマーで、編込まれた編物を被覆する工程から生じる。ギブス包帯ライナー４０は、フィラメントまたは紡績糸から成形され、そして紡績フィラメント加工糸は、好ましい構築物である。
【００４５】
一般に、ギブス包帯ライナー４０の外側表面４１は、図１５で示されるとおり、糸が、上向きに輪を作らせ、そして「ポップコーン」様膨らみ（パフ）を形成させるのに十分な過剰供給で低張力下で編みこまれた微細繊維合成紡糸から形成される糸またはスライバの使用から生じる軟質の「ポップコーン」外観および感触を示す。表面４１および４２は、弾性糸によって収縮される微細繊維紡糸の隣接のランクおよびファイルによって引起される固有の膨れた「ポップコーン」外観を示す。実際の糸構築および外観を除いて、ギブス包帯ライナー４０の特徴は、ギブス包帯ライナー１０と類似し、そして添え木製品のためのクッション層として使用するのにも適している。
【００４６】
ここで図１６〜２２に関して、本発明の好ましい実施態様によるギブス包帯ライナー５０の形態での医療用包帯製品が示される。ギブス包帯ライナー５０は、使用が意図される場合、管状形態で示される。管状物は、従来の円形編機で糸またはスライバを編むこと、または平坦床機で編み、そしてその後、縁縫いまたは裁ち目かがりのようなシームを使用して、平坦編物を管状物に成形することによって形成されうる。編機は、二重編み許容性を示しうる。
【００４７】
ギブス包帯ライナー５０は、従来の微細繊維のアクリル酸、ポリプロピレンまたはポリエステル糸のような紡績合成繊維紡糸から編まれる。ギブス包帯ライナー６０の耐水特性は、シリコーンまたはポリウレタン基材のモノマーで、編物を被覆する工程から生じる。ギブス包帯ライナー５０は、フィラメントまたは紡績糸から成形され、そして紡績されたフィラメント加工糸は、好ましい構築物である。
【００４８】
ギブス包帯ライナー５０は、ギブス包帯ライナー１０を有するもののように、ギブス包帯ライナーに沿って縦軸よりむしろ、放射状に拡張するゴム編み５４、すなわちギブス包帯ライナー５０の縁の周辺に螺旋状に伸びるゴム編み５４によって特徴づけられる外側および内側表面５１および５２を有する軟質の快適な構築物を有する。そのように得たゴム編み５４は、ギブス包帯ライナー５０を、最小限のしわと共に、例えば肘または脚の屈曲部の周囲に合致させるべき隣接ゴム編み５４の間に密接し、そして規則正しく空間を空けた弱い領域を提供する。むしろ、ギブス包帯ライナー５０は、屈曲部が最も目立つ領域の周辺およびそれに沿って、隣接ゴム編み５４の間の点で自然に、そして累進的に屈曲する。この手段で、屈曲の自然な方向に順応することは、快適さを非常に増大し、そして擦り切れ、褥瘡、そして極端な場合には、感染を引起す可能性のある圧点の創出を減少または緩和する。
【００４９】
図１８〜２２では、ギブス包帯ライナー５０は、肢に使用され、そして従来のギブス包帯テープ「Ｔ」で包まれることが示される。
【００５０】
ギブス包帯ライナー５０の好ましい実施態様は、以下のとおりである。
糸        エンヤ・ネオフィル２／１００デシテックス８０フィラメント
白色フィラメント加工ポリプロピレン、または
エンヤ・ネオフィル２／７０デシテックス８０フィラメント
白色フィラメント加工ポリプロピレン
ドリアスタン７０デニール・エラスタン・ポリエテル／ポリウレタン
構築物１８．３ゴム編み／インチ（７．２ゴム編み／ｃｍ）、ゴム編み当たり８針
５インチ直径シリンダー、４４０針
４末端の１／１００  ８０エンヤ・ポリプロピレン
２末端の７０デニール・ドリアスタン・ポリエステル／ポリウレタン
４回供給
１回目供給−２／１００／８０  ポリプロピレン
２回目供給−２／１００／８０  ＋７０デニールドリアスタン
３回目供給−２／１００／８０  ポリプロピレン
４回目供給−２／１００／８０  ＋７０デニールドリアスタン
厚み２／５−４０ｍｍ
輪奈の列３０−６０インチ
【００５１】
ドリアスタン・ポリエステル／ポリウレタンは、耐久性、長期寸法安定性および軟質弾性を提供する乾燥紡績弾性フィラメントであり、そしてバイエル・フェイサー  ＧｍｂＨによって製造される。
【００５２】
図２３に関して、螺旋に成形され、そして分配箱１３で包装された連続長、例えば１０−１５メートルのギブス包帯ライナー５０が示される。ギブス包帯ライナー５０の自由末端を、分配箱１３から引き抜き、そして所望の長さに切取ることによって、所望の長さが得られる。
【００５３】
ギブス包帯ライナー４０の予め切断された長さ５４は、図２４で示され、保護パッケージ１５での巻取り形態で包装される。ギブス包帯ライナー４０の予め切断された長さ５４は、長手の長さのギブス包帯ライナー５０を所望の長さに切取り、そしてその後、それらを、連続使用のために適切な形態で包装することによって形成される。
【００５４】
ここで図２５〜２９に関して、ギブス包帯ライナー５０として使用されるのと同じ材料は、水分硬化性樹脂を、添え木として使用するための基材に組込む型の医療用包帯製品のための詰め物層として使用されうる。
【００５５】
医療用包帯製品６０は、一般に、積層樹脂／箔シート材料のような水分不浸透性材料より形成される外側延長スリーブ６１より構成される。スリーブ６１を、対峙する平行な拡張側に沿って熱で密閉して、延長管を形成する。下に詳細に説明される延長添え木材料６２を、スリーブ６１内に配置され、そして分配されるまで、実質的に水分不含の条件で維持する。添え木材料６２の未使用部分の硬化を防止するために、スリーブ６１の末端を、図２６で示されるクリップ６４のような密閉手段で密閉する。延長スリーブ６１を巻取り、花づなを作るか、またはそうでなければ分配カートン６６内に密着するように配列され、そしてスロット６７を通して分配される。
【００５６】
いったん適切な長さの添え木材料６２は、分配され、そしてロールから切り取られると、その材料を、スリーブ６１から取出し、そしてスリーブ６１の切断部分を捨てる。
【００５７】
添え木材料６２は、例えばガラス繊維、または種々の組み合わせの合成繊維から構築された織りまたは編まれた比較的粗い織物の適切な数、例えば６の上塗層より構成される基材６９より成形される。基材６９は、ギブス包帯ライナー５０に関する関係で識別されるとおりの構造を有する環状長の詰め物層７０内に含まれる。詰め物層７０は、患者の皮膚と基材６９との間のクッション保護層を供する。基材６９に、実質的に水分不含の条件で維持されるときに安定なままであるが、しかし十分な水分にさらされて硬化して、堅固で自己支持構造を形成する反応性システムを染込ませるか、または被覆される。反応システムの典型的配合は、添え木材料２２に関連して上で表に説明されるとおりである。
【００５８】
基材９８を、そしてそれにより添え木材料６２を硬化させることは、水に浸漬または噴霧することによって達成される。その後、過剰の水分を、タオルで、添え木材料６２から搾り出す。
【００５９】
図３０では、適切な長さの添え木材料６２を、尾部短足添え木に関連して上で説明されるとおり固定されるべき体の構成要素の形状に成形し、そして図３１で示されるとおり、従来の弾性包帯「Ｂ」で覆う。
【００６０】
医療用包帯製品が、上に記述される。本発明の種々の詳細は、それの範囲から逸脱することなく変化される。さらに、本発明の好ましい実施態様の前述の説明および本発明を実施するための最善の態様は、例示の目的のみのために供され、限定の目的のために供されず、そして本発明は、請求項によって定義される。
【図面の簡単な説明】
【００６１】
【図１】本発明の１つの実施態様によるギブス包帯ライナーの形態での医療用包帯製品の透視図である。
【図２】患者の前腕に使用され、そして重なるギブス包帯テープでギブス包帯に形成されるギブス包帯ライナーの長さを示す図である。
【図３】患者の前腕に使用され、そして重なるギブス包帯テープでギブス包帯に形成されるギブス包帯ライナーの長さを示す図である。
【図４】患者の前腕に使用され、そして重なるギブス包帯テープでギブス包帯に形成されるギブス包帯ライナーの長さを示す図である。
【図５】患者の前腕に使用され、そして重なるギブス包帯テープでギブス包帯に形成されるギブス包帯ライナーの長さを示す図である。
【図６】患者の前腕に使用され、そして重なるギブス包帯テープでギブス包帯に形成されるギブス包帯ライナーの長さを示す図である。
【図７】分配パッケージ中のギブス包帯ライナーの連続長を示す。
【図８】使用の準備ができるまで、分配および保存のために包装された、予め切断された長さのギブス包帯ライナーを示す。
【図９】患者と基材との間の保護クッションとして医療用包帯製品を利用する合成添え木製品から剥がされた部品を有する部分的透視図である。
【図１０】箔保護スリーブから除去された切断長の合成添え木製品の透視図である。
【図１１】図１０で示される合成添え木製品の断面図である。
【図１２】肢に対する合成添え木製品のある長さの使用法を示す。
【図１３】肢に対する合成添え木製品のある長さの使用法を示す。
【図１４】「ポップコーン」表面質感を示す本発明の代替的実施態様によるある長さの医療用包帯製品の透視図である。
【図１５】図１４に示される医療用包帯製品の質感のある外側表面の拡大図である。
【図１６】本発明の代替的実施態様によるある長さの医療用材料の透視図である。
【図１７】医療用包帯製品の外側表面の拡大図である。
【図１８】患者の前腕にギブス包帯ライナーとして使用され、そして重なるギブス包帯テープでギブス包帯に形成されるある長さの医療用包帯製品を示す図である。
【図１９】患者の前腕にギブス包帯ライナーとして使用され、そして重なるギブス包帯テープでギブス包帯に形成されるある長さの医療用包帯製品を示す図である。
【図２０】患者の前腕にギブス包帯ライナーとして使用され、そして重なるギブス包帯テープでギブス包帯に形成されるある長さの医療用包帯製品を示す図である。
【図２１】患者の前腕にギブス包帯ライナーとして使用され、そして重なるギブス包帯テープでギブス包帯に形成されるある長さの医療用包帯製品を示す図である。
【図２２】患者の前腕にギブス包帯ライナーとして使用され、そして重なるギブス包帯テープでギブス包帯に形成されるある長さの医療用包帯製品を示す図である。
【図２３】分配パッケージ中のギブス包帯ライナーの連続長を示す。
【図２４】使用の準備ができるまで、分配および保存のために包装された、予め切断された長さのギブス包帯ライナーを示す。
【図２５】分配カートンから分配されるべき合成添え木の形態での連続長の医療用包帯製品を示す。
【図２６】水分進入を防止するために密閉された連続長の医療用包帯製品を示す。
【図２７】患者と基材との間の保護クッションとして医療用包帯製品を利用する合成添え木製品から剥がされた部品を有する部分的透視図である。
【図２８】箔保護スリーブから除去された切断長の合成添え木製品の透視図を示す。
【図２９】図１０で示される合成添え木製品の断面図である。
【図３０】肢に対してある長さの合成添え木製品の使用法を示す。
【図３１】肢に対してある長さの合成添え木製品の使用法を示す。
【図１】
2007521047.tif 000003
【図２】
2007521047.tif 000004
【図３】
2007521047.tif 000005
【図４】
2007521047.tif 000006
【図５】
2007521047.tif 000007
【図６】
2007521047.tif 000008
【図７】
2007521047.tif 000009
【図８】
2007521047.tif 000010
【図９】
2007521047.tif 000011
【図１０】
2007521047.tif 000012
【図１１】
2007521047.tif 000013
【図１２】
2007521047.tif 000014
【図１３】
2007521047.tif 000015
【図１４】
2007521047.tif 000016
【図１５】
2007521047.tif 000017
【図１６】
2007521047.tif 000018
【図１７】
2007521047.tif 000019
【図１８】
2007521047.tif 000020
【図１９】
2007521047.tif 000021
【図２０】
2007521047.tif 000022
【図２１】
2007521047.tif 000023
【図２２】
2007521047.tif 000024
【図２３】
2007521047.tif 000025
【図２４】
2007521047.tif 000026
【図２５】
2007521047.tif 000027
【図２６】
2007521047.tif 000028
【図２７】
2007521047.tif 000029
【図２８】
2007521047.tif 000030
【図２９】
2007521047.tif 000031
【図３０】
2007521047.tif 000032
【図３１】
2007521047.tif 000033
【国際調査報告】
2007521047.tif 000034